(57)【要約】【課題】  円柱体の周り又は湾曲した構造物の周りの雑草を防止する為の防草シートの提供。【解決手段】  円柱体の外周面や湾曲した外側面に接する巻き付け部７と地面に接するツバ８を有し、該ツバ８は上ツバ８ａと下ツバ８ｂの２重構造として巻き付け部７の下端から外方向へ延びてＬ型断面とし、そして上ツバ８ａ及び下ツバ８ｂにはスリット９ａ，９ａ・・・、９ｂ，９ｂ・・・を介して複数のツバ片１３ａ，１３ａ・・・、１３ｂ，１３ｂ・・・を設けると共に、上ツバに設けたスリットと下ツバに設けたスリットの位置を１／２ピッチだけズラせている。【選択図】    図３
2012005451.tif 000002
【特許請求の範囲】
【請求項１】
円柱体の周り又は湾曲した構造物の周りの雑草を防止する為の防草シートにおいて、上記円柱体の外周面や湾曲した外側面に接する巻き付け部と地面に接するツバを有し、該ツバは互いに重なり合う上ツバと下ツバの２重構造として巻き付け部の下端から外方向へ延びてＬ型断面とし、そして上ツバ及び下ツバにはスリットを介して複数のツバ片を設けると共に、上ツバに設けたスリットと下ツバに設けたスリットの位置を１／２ピッチだけズラせたことを特徴とする防草シート。
【請求項２】
一体幅の帯状シートの両側に複数のスリットを切込んで形成すると共に、各側でのスリットの位置を１／２ピッチズラし、上記帯状シートの中立軸にて２つ折りし、そしてスリット先端位置にて折り曲げてＬ型断面とした請求項１記載の防草シート。
【請求項３】
円柱体の周り又は湾曲した構造物の周りの雑草を防止する防草構造において、上記円柱体外周面又は湾曲した構造物の側面には地面にも接するようにＬ型断面の防草シートを取付け、この防草シートは、上記円柱体の外周面や湾曲した外側面に接する巻き付け部と地面に接するツバを有し、該ツバは互いに重なり合う上ツバと下ツバの２重構造として巻き付け部の下端から外方向へ延びてＬ型断面とし、そして上ツバ及び下ツバにはスリットを介して複数のツバ片を設けると共に、上ツバに設けたスリットと下ツバに設けたスリットの位置を１／２ピッチだけズラせたもので、上記円柱体の外周面又は湾曲した構造物の外側面に巻き付け部が巻き付き、上下ツバの各ツバ片がスリットを介して湾曲した外周面又は外側面に沿って配列したことを特徴とする曲面周りの防草構造。
【発明の詳細な説明】
【技術分野】
【０００１】
本発明は円柱などの周りから雑草が生えないように構成した防草構造及び防草シートに関するものである。
【背景技術】
【０００２】
近年ではあらゆる空き地を利用して草花のポット苗や苗木のポット苗を植え、環境緑化を図っている。その一方で植栽後の植物が種々の雑草に被圧される為に、除草対策として防草シートを利用し、雑草を抑止しながら目的の植物を成長させる植栽方法がいたるところで実用化されている。図６はこの防草シートを利用して植栽した場合であるが、地盤（チ）の表面には防草シート（リ）が敷設されてクギ（ヌ）、（ヌ）・・・が所々に打ち込まれて固定され、この防草シート（リ）には切り込み（ル）、（ル）・・・が形成されている。
【０００３】
上記切り込み（ル）の形状はＴ字形、十字形、Ｏ形等と成っていて、この切り込み（ル）、（ル）・・・を押し広げて形成される開口から土を掘り上げて形成した穴に客土（オ）を入れ、その上にポット苗（ワ）を植えている。ポット苗（ワ）は切り込み（ル）の開口から防草シート（リ）上に出て成長することになる。個々で、防草シート（リ）は通気性があって雨水を通すことは出来るが、地面からの水分蒸発を抑制し、ポット苗（ワ）の生育には何ら支障はないが、遮光性があって雑草の生育を基本的に防止することが出来る。
【０００４】
このように、ほぼ平坦な場所に生える雑草を防止することは可能であるが、地面から起立する柱周辺に生える雑草を防止することは容易でない。特に円筒形又は円柱形をした柱周りには上記防草シートを隙間なく敷設する場合でも、僅かに残った隙間から雑草が生えてしまう。具体的には電柱周りの雑草、道路脇に沿設されるガードの支柱周りの雑草が問題となる。
【０００５】
防草シートに関しては従来から色々な技術が開発されて来ている。例えば、特開２００９−１３８４８６号に係る「防草シート」は、遮光性を有し、耐候性、機械的特性、不透水性に優れ、さらに硬く鋭い雑草の芽の防草シートに対する貫通防止性に優れたものであり、（ａ）無機質粒子または無機質粒子を含有する合成樹脂を含む表面層、（ｂ）改質アスファルト層、（ｃ）基材層、（ｄ）改質アスファルト層および（ｅ）合成樹脂または無機質粒子を含有する合成樹脂を含む裏面層の少なくとも５層をこの順で積層している。
【０００６】
特開２００８−１７７４９号に係る「防草シート」は、脂肪族ポリエステルを主たる成分として含んでいるため環境影響が低く、かつ防草シートとして使用するに好適な特性を備えた熱可塑性フィラメント不織布である。すなわち、熱可塑性フィラメント不織布からなる防草シートであって、脂肪族ポリエステルとポリアミドがブレンドされてなる熱可塑性フィラメントを含有している。
【０００７】
このように、防草シート自体の構造に関しては色々なものが知られているが、これら防草シートを敷設しても円筒形又は円柱形周りに生える雑草を防止することは出来ない。図５は支柱（イ）と地面（ロ）との境界に防草シート（ハ）、（ニ）を敷設した具体例を示している。（ａ）は支柱表面（ホ）に防草シート（ハ）の縁（ヘ）を突き合わせた場合であり、しかし、実際には表面（ホ）と縁（ヘ）との間には僅かな隙間が残り、この隙間から雑草が生えてくる。そして、該支柱（イ）が角型断面であるならば、防草シート（ハ）の縁（ヘ）を比較的容易に突き合わせることは出来るが、円形断面の支柱（イ）の場合には縁（ヘ）を滑らかな円弧表面（ホ）に合わせて裁断することは容易でない。
【０００８】
一方、図５（ｂ）に示す防草シート（ニ）は縁から垂直に立ち上がった立ち上がり部（ト）を形成している。従って、該立ち上がり部（ト）は支柱（イ）の表面（ホ）に接して隙間は発生し難く、その為に雑草は生え難くなるが、該立ち上がり部（ト）を設ける場合、円形断面の支柱ともなれば該支柱表面（ホ）に合わせて製作することは困難である。
【特許文献１】特開２００９−１３８４８６号に係る「防草シート」
【特許文献２】特開２００８−１７７４９号に係る「防草シート」
【発明の開示】
【発明が解決しようとする課題】
【０００９】
このように、防草シートは平坦な地面に敷設されて雑草を防止することは出来る。しかし、地面から円柱又は円筒形の支柱が起立している場合、従来の防草シート敷設するだけでは、支柱周りに隙間が出来るために、該隙間に生える雑草を防止することは出来ない。本発明が解決しようとする課題はこの問題点であり、色々な外径の円柱でも対応可能とした曲面周りの雑草を防止する防草構造及び防草シートを提供する。又、対象は支柱周りに限定するものではなく、湾曲した構造物周りの雑草防止も対象とする。
【課題を解決するための手段】
【００１０】
本発明に係る防草構造は円柱の周りに、又は湾曲した構造物の周りにシートを巻き付け、円柱表面又は構造物表面と地面の境界域を隙間なく被覆することが出来る構造としている。ところで、上記シートは細長い帯状を成しているが、円形支柱表面又は湾曲構造物表面に巻き付けた状態では、縦断面がＬ型に成るように巻き付き部とツバを有し、該巻き付き部は支柱の全外周面に接し、ツバは円柱周りの地面に接することが出来る。同じく、巻き付き部は湾曲構造物表面に接し、ツバは湾曲構造物周りの地面に接することが出来る。
【００１１】
ところで、防草シートのツバには所定の間隔で複数のスリットが設けられ、しかも２枚のシート（上ツバと下ツバ）が重なり合った２重構造と成っている。そして、上記スリットの位置は上ツバと下ツバとで互いに違っている。すなわち、スリットの位置は１／２ピッチだけズレた位置に設けられている。防草シートが円形支柱又は湾曲した構造物に巻き付けられる場合、ツバに設けたスリットは開口することが出来る。すなわち、ツバを有しているが、該ツバにはスリットを設けることで円形支柱周り、又は湾曲構造物周りに取付けることが出来る。
【発明の効果】
【００１２】
本発明に係る防草構造は防草シートを円形支柱又は湾曲した構造物の表面に巻き付けることで、地面との境界領域を隙間なく被覆することが出来る。すなわち、巻き付け部は円形支柱又は湾曲構造物の表面に接し、ツバは地面に接することが出来ために、地面との境界域を隙間なく被覆することが出来、雑草の発生が防止される。ここで、地面に接するツバは上ツバと下ツバの２重構造とし、上下ツバにはスリットが形成されることで円形支柱又は湾曲構造物に沿って敷設される。そして、上ツバと下ツバに形成されるスリットは１／２ピッチだけズレた位置に設けることで、スリットが開口して曲面に沿って敷設されても、地面が表面化することはない。その為に光は遮断され、雑草が生えることはない。
【図面の簡単な説明】
【００１３】
【図１】円柱体の外周面に防草シートを取付けた防草構造を示す実施例。
【図２】防草シートを構成する帯状シート。
【図３】本発明に係る防草シートの実施例。
【図４】円柱体の外周面に防草シートを巻き付けた部分拡大図。
【図５】従来の防草構造を示す具体例。
【図６】従来の防草シートを敷設してポット苗を植えた場合。
【発明を実施するための形態】
【００１４】
図１は円柱体の下端外周に防草シートを沿設した実施例を示している。鉄塔１が設置され、該鉄塔１の支柱２の下端がコンクリート製の円柱体３に埋着されて支持されている。鉄塔１には４本の支柱２，２・・・が設けられ、そして円柱体３は地下深く埋設され、各支柱２，２・・・は円柱体３，３・・・に支持されて強固に固定され、その為に鉄塔１は安定して起立することが出来る。
【００１５】
同図の４は防草シートを表し、防草シート４は円柱体３の下端外周面５に巻き付いて取付けられている。円柱体３は一定曲率半径の外周面５を有し、上記防草シート４は外周面５と地面６に接した状態で取付けられている。ここで、防草シート４の取り付け方法は特に限定せず、例えば外周面５に接着剤を介して固着する場合、又は外周面５にピンを打ち込んで固定することも出来る。さらにはバンドで締付ける場合もある。
【００１６】
上記防草シート４は巻き付け部７とツバ８を有し、巻き付け部７とツバ８は垂直を成していて、その縦断面はＬ型をしている。本発明の防草シート４は一定幅の帯状を成し、ほぼ長手方向に延びる中立軸にて２つ折りすると共にＬ型に折り曲げることで、上記巻き付け部７とツバ８に区分され、該巻き付け部７は円柱体３の外周面５に巻き付き、ツバ８は地面６に接することが出来る。
【００１７】
図２は本発明に係る防草シート４を構成ずる帯状シート１５を示す実施例である。この帯状シート１５は一定幅を有した細長い帯状を成し、そして両側には複数のスリット９ａ，９ａ・・・，９ｂ，９ｂ・・・が等間隔Ｐで切込まれている。しかも、両側スリット９ａ，９ｂの位置は１／２ピッチズレて設けられており、各スリット９ａ，９ａ・・・、９ｂ，９ｂ・・・間にはツバ片１０ａ，１０ａ・・・、１０ｂ，１０ｂ・・・が形成されている。すなわち、ツバ８はスリット９，９・・・を切込むことで複数のツバ片１０，１０・・・と成っている。
【００１８】
ところで、図２に示す帯状シート１５は２つ折りされ、しかもスリット９ａ，９ａ・・・、９ｂ，９ｂ・・・が切込まれた先端位置１１ａ，１１ｂにて折り曲げられ、Ｌ型断面と成すことが出来る。図３はＬ型断面をした防草シート４を示しており、巻き付け部７とツバ８から成っている。巻き付け部７とツバ８は切込まれたスリット９ａ，９ａ・・・、９ｂ，９ｂ・・・の先端にて折り曲げられている為に、このＬ型断面の防草シート４は湾曲して円柱体３の外周面５に巻き付くことが出来る。
【００１９】
ツバ８には複数のスリット９ａ，９ａ・・・、９ｂ，９ｂ・・・が切込まれていることで、これらスリット９ａ，９ａ・・・、９ｂ，９ｂ・・・は切込み口側が拡大し、二等辺三角形の隙間が形成される。しかし、ツバ８は２重構造をしていると共に、スリット９ａ，９ａ・・・とスリット９ｂ，９ｂ・・・の位置は１／２ピッチズレていることで、スリット９ａ，９ａ・・・、９ｂ，９ｂ・・・の開口によってツバ８が貫通することはない。
【００２０】
図４は円柱体３に巻き付いて防草シート４が湾曲した場合の部分拡大図を示している。該ツバ８は上ツバ８ａと下ツバ８ｂが重なり合った２重構造であり、そして、間に二等辺三角形の隙間１２，１２・・・を介在して複数のツバ片１３ａ，１３ａ・・・及びツバ片１３ｂ，１３ｂ・・・が巻き付け部７の下端から外方向へ延びている。しかも、ツバ片１３ａ，１３ａ・・・とツバ片１３ｂ，１３ｂ・・・は互いに重なり合っていることで隙間１２，１２・・・は塞がれる。
【００２１】
ところで、Ｌ型断面をした防草シート４は前記図２に示す帯状シート１５の中立軸Ｏ−Ｏを中心に２つ折りし、そして、該中立軸Ｏ−Ｏの両側に位置して各スリット９ａ，９ａ・・・、及びスリット９ｂ，９ｂ・・・の先端位置１１ａ，１１ｂにて折り曲げられて図３のように構成される。
【００２２】
ところで、図１に示すように防草シート４は円柱体３の外周面５に取付けられ、地面６と円柱体３の境界域を被覆することで隙間がなくなり、この境界域から雑草が生えることは出来なくなる。そして、防草シート４のツバ８は円柱体３の外周域地面を被覆し、この外周域より外側は従来の防草シートが敷設される。図１の円柱体３は鉄塔１を支えることが出来るように大きな外径を有しているが、道路脇に設置されるガードレールの支柱周りの防草対策にも本発明の防草シート４を使用することが出来る。
【００２３】
ガードレールの支柱はその外径が鉄塔１を支える円柱体３に比較して小さいが、前記図２に示す帯状シートを適当な長さに切断して使うことが出来る。すなわち、支柱の外周を覆うことが出来る長さに切断し、これを折り曲げて取付けることが可能と成る。又、被覆する対象物は円柱に限らず、滑らかな側面を有す構造物であれば適用出来、凸状側面のみならず、凹状側面を有す構造物であっても取付け出来る。
【００２４】
一方、図２に示す帯状シート１５を折り曲げてＬ型断面の防草シート４を作る場合には巻き付け部７も２重構造となるが、巻き付け部７と下ツバ８ｂを有す帯状シートに、上ツバ８ａを下ツバ８ｂに重ねて縫い付けることも可能である。そして、本発明の防草シート４の材質は特に限定しないが、例えばポリエステルを使用することが出来、その耐久性は高くなる。又、長繊維から成る糸を用いた網組織とする場合、雑草が貫通しないように高密度としなくてはならない。
【符号の説明】
【００２５】
１  鉄塔
２  支柱
３  円柱体
４  防草シート
５  外周面
６  地面
７  巻き付け部
８  ツバ
９  スリット
10  ツバ片
11  先端位置
12  隙間
13  ツバ片
15  帯状シート
【図１】
2012005451.tif 000003
【図２】
2012005451.tif 000004
【図３】
2012005451.tif 000005
【図４】
2012005451.tif 000006
【図５】
2012005451.tif 000007
【図６】
2012005451.tif 000008